(57)【要約】【課題】本発明は、空気吹出装置に係り、特に室内側に膨出する吹出部材を通気性を有する伸縮自在な繊維素材で形成するとともに、この吹出部材の取付枠への取付け及び取外しを簡単に行えるようにした空気吹出装置に関するものである。【解決手段】本発明は、室内の壁面又は天井面の開口部の取付枠を、開口部に取付けた筒状部材と、室内側に突出する鍔状部材とから形成し、吹出部材を通気性を有する伸縮自在な繊維素材で形成するとともに、この吹出部材における鍔状部材への取付位置となる周辺部に配設した紐状部材により吹出部材を鍔状部材に固定するようにしたから、吹出部材の取付け及び取外しを簡単に行うことができ、吹出部材の清掃や交換を容易に行うことができ、かつ空気を吹出部材全体から均一に吹出すことができ、吹出風速が小さくなってドラフトを弱くできるとともに、鍔状部材や吹出部材に結露するおそれもない。【選択図】図２
2009275922.tif 000002
【特許請求の範囲】
【請求項１】
室内の壁面又は天井面の開口部に取付けた取付枠と、室内側に膨出する吹出部材とを備えた空気吹出装置であって、
前記取付枠を、前記開口部に取付けた筒状部材と、前記壁面又は天井面から室内側に突出する鍔状部材とから形成し、
前記吹出部材を通気性を有する伸縮自在な繊維素材で形成するとともに、この吹出部材における前記鍔状部材への取付位置となる周辺部に紐状部材を配設し、
前記紐状部材により前記吹出部材を前記鍔状部材に固定したことを特徴とする空気吹出装置。
【請求項２】
前記吹出部材の周辺部を、複数の切欠部を有し前記紐状部材が挿通可能な中空状に形成し、
前記鍔状部材に複数の引掛け部を設けて前記切欠部に位置する前記紐状部材を前記引掛け部に引掛けたことを特徴とする請求項１に記載の空気吹出装置。
【請求項３】
室内の壁面又は天井面の開口部に取付けた取付枠と、室内側に膨出する吹出部材とを備えた空気吹出装置であって、
前記取付枠を、前記開口部に取付けた筒状部材と、前記壁面又は天井面から室内側に突出する鍔状部材とから形成するとともに、前記鍔状部材にこの鍔状部材と間隙をもって軸部材を固定し、
前記吹出部材を通気性を有する伸縮自在な繊維素材で形成するとともに、この吹出部材における前記鍔状部材への取付位置となる周辺部に面ファスナー又はボタンを配設し、
前記吹出部材の周辺部により前記軸部材を包んだ状態で前記面ファスナー又はボタンで前記吹出部材を前記鍔状部材に固定したことを特徴とする空気吹出装置。
【請求項４】
室内の壁面又は天井面の開口部に取付けた取付枠と、室内側に膨出する吹出部材とを備えた空気吹出装置であって、
前記取付枠を、前記開口部に取付けた筒状部材と、前記壁面又は天井面から室内側に突出する鍔状部材とから形成し、
前記吹出部材を通気性を有する伸縮自在な繊維素材で形成するとともに、この吹出部材における前記鍔状部材への取付位置となる周辺部に枠部材を設け、
前記吹出部材の枠部材を前記鍔状部材に着脱自在に固定する固定手段により、前記吹出部材を前記鍔状部材に固定したことを特徴とする空気吹出装置。
【請求項５】
前記取付枠の鍔状部材を、前記壁面又は天井面に設けた開口部の形状と異なる形状に形成するとともに、前記吹出部材を前記取付枠の鍔状部材の形状に合わせた形状に形成したことを特徴とする請求項１〜請求項４のいずれかに記載の空気吹出装置。
【請求項６】
前記取付枠に照明器具を設けるとともに、前記吹出部材を半透明な素材で形成して前記照明器具を覆ったことを特徴とする請求項１〜請求項５のいずれかに記載の空気吹出装置。
【発明の詳細な説明】
【技術分野】
【０００１】
本発明は、室内の壁面又は天井面に設けた空気吹出装置、特に室内側に膨出する吹出部材を通気性を有する伸縮自在な繊維素材で形成するとともに、この吹出部材の取付枠への取付け及び取外しを簡単に行えるようにした空気吹出装置に関するものである。
【背景技術】
【０００２】
従来、室内の天井面に設ける吹出口としては、アネモ型、パン型、ユニバーサルレジスタ型、ラインディフューザ型、ノズル型などが知られている（例えば、非特許文献１の第５４８頁及び第５４９頁参照）。
これら各種の吹出口は目的に応じて選択して使用されているが、いずれの吹出口も空気を吹出口全体から均一に吹出すことは難しかった。
【０００３】
また、従来、室内の天井近くに設ける繊維で製作された袋状のダクトで、ダクト全面が吹出部となる、いわゆるソックダクトが知られている（例えば、非特許文献１の第５３０頁及び第５３１頁、特許文献１、特許文献２参照）。
このソックダクトは空気をダクト全面から均一に吹出すことができるが、その形状、デザインが特異であり、かつ装置が大型である点から使用できる室内に制約があった。
【非特許文献１】特許庁発行「平成１８年度  標準技術集  空調設備の施工技術」
【特許文献１】特開平６−１１７６８２号  公報
【特許文献２】特開平６−２０１１８１号  公報
【発明の開示】
【発明が解決しようとする課題】
【０００４】
従来の各種吹出口はいずれも空気を吹出口全体から均一に吹出すことができない問題があった。
また、従来のソックダクトは、形状、デザイン、装置の大きさから使用できる室内が限られてくるという問題があるとともに、ソックダクトの接続面積が小さいため、処理風量に制限を受けるという問題があった。
【０００５】
本発明は、このような従来の構成が有していた問題を解決しようとするものであり、室内の壁面又は天井面の開口部に、通気性を有する伸縮自在な繊維素材で形成し室内側に膨出する吹出部材を取付けて、この吹出部材の取付け及び取外しを容易に行えるようにすることを目的としている。
【課題を解決するための手段】
【０００６】
請求項１に係る本発明は、室内の壁面又は天井面の開口部に取付けた取付枠と、室内側に膨出する吹出部材とを備えた空気吹出装置であって、
前記取付枠を、前記開口部に取付けた筒状部材と、前記壁面又は天井面から室内側に突出する鍔状部材とから形成し、
前記吹出部材を通気性を有する伸縮自在な繊維素材で形成するとともに、この吹出部材における前記鍔状部材への取付位置となる周辺部に紐状部材を配設し、
前記紐状部材により前記吹出部材を前記鍔状部材に固定した空気吹出装置である。
【０００７】
請求項２に係る本発明は、請求項１に係る本発明の構成に加え、前記吹出部材の周辺部を、複数の切欠部を有し前記紐状部材が挿通可能な中空状に形成し、
前記鍔状部材に複数の引掛け部を設けて前記切欠部に位置する前記紐状部材を前記引掛け部に引掛けた空気吹出装置である。
【０００８】
請求項３に係る本発明は、室内の壁面又は天井面の開口部に取付けた取付枠と、室内側に膨出する吹出部材とを備えた空気吹出装置であって、
前記取付枠を、前記開口部に取付けた筒状部材と、前記壁面又は天井面から室内側に突出する鍔状部材とから形成するとともに、前記鍔状部材にこの鍔状部材と間隙をもって軸部材を固定し、
前記吹出部材を通気性を有する伸縮自在な繊維素材で形成するとともに、この吹出部材における前記鍔状部材への取付位置となる周辺部に面ファスナー又はボタンを配設し、
前記吹出部材の周辺部により前記軸部材を包んだ状態で前記面ファスナー又はボタンで前記吹出部材を前記鍔状部材に固定した空気吹出装置である。
【０００９】
請求項４に係る本発明は、室内の壁面又は天井面の開口部に取付けた取付枠と、室内側に膨出する吹出部材とを備えた空気吹出装置であって、
前記取付枠を、前記開口部に取付けた筒状部材と、前記壁面又は天井面から室内側に突出する鍔状部材とから形成し、
前記吹出部材を通気性を有する伸縮自在な繊維素材で形成するとともに、この吹出部材における前記鍔状部材への取付位置となる周辺部に枠部材を設け、
前記吹出部材の枠部材を前記鍔状部材に着脱自在に固定する固定手段により、前記吹出部材を前記鍔状部材に固定した空気吹出装置である。
【００１０】
請求項５に係る本発明は、請求項１〜請求項４のいずれかに係る本発明の構成に加え、前記取付枠の鍔状部材を、前記壁面又は天井面に設けた開口部の形状と異なる形状に形成するとともに、前記吹出部材を前記取付枠の鍔状部材の形状に合わせた形状に形成した空気吹出装置である。
【００１１】
請求項６に係る本発明は、請求項１〜請求項５のいずれかに係る本発明の構成に加え、前記取付枠に照明器具を設けるとともに、前記吹出部材を半透明な素材で形成して前記照明器具を覆った空気吹出装置である。
【発明の効果】
【００１２】
請求項１に係る本発明は、室内の壁面又は天井面の開口部の取付枠を、開口部に取付けた筒状部材と、室内側に突出する鍔状部材とから形成し、吹出部材を通気性を有する伸縮自在な繊維素材で形成するとともに、この吹出部材における鍔状部材への取付位置となる周辺部に配設した紐状部材により吹出部材を鍔状部材に固定するようにしたから、吹出部材の取付け及び取外しを簡単に行うことができ、吹出部材の清掃や交換を容易に行うことができる。
また、吹出部材を通気性を有する繊維素材で形成しているので、空気を吹出部材全体から均一に吹出すことができ、吹出風速が小さくなってドラフトを弱くできるとともに、鍔状部材や吹出部材に結露するおそれもない。
【００１３】
請求項２に係る本発明は、請求項１に係る本発明の効果に加え、吹出部材の周辺部を、複数の切欠部を有し紐状部材が挿通可能な中空状に形成し、鍔状部材に複数の引掛け部を設けて切欠部に位置する紐状部材を引掛け部に引掛けたから、吹出部材を鍔状部材に確実に固定することができる。
【００１４】
請求項３に係る本発明は、室内の壁面又は天井面の開口部の取付枠を、開口部に取付けた筒状部材と、室内側に突出する鍔状部材とから形成するとともに、鍔状部材に鍔状部材と間隙をもって軸部材を固定し、吹出部材を通気性を有する伸縮自在な繊維素材で形成するとともに、吹出部材における鍔状部材への取付位置となる周辺部に面ファスナー又はボタンを配設し、吹出部材の周辺部により軸部材を包んだ状態で面ファスナー又はボタンで吹出部材を鍔状部材に固定したから、請求項１に係る本発明と同様に、吹出部材の取付け及び取外しを簡単に行うことができ、吹出部材の清掃や交換を容易に行うことができる。
また、吹出部材を通気性を有する繊維素材で形成しているので、空気を吹出部材全体から均一に吹出すことができ、吹出風速が小さくなってドラフトを弱くできるとともに、鍔状部材や吹出部材に結露するおそれもない。
【００１５】
請求項４に係る本発明は、室内の壁面又は天井面の開口部の取付枠を、開口部に取付けた筒状部材と、室内側に突出する鍔状部材とから形成し、吹出部材を通気性を有する伸縮自在な繊維素材で形成するとともに、吹出部材における鍔状部材への取付位置となる周辺部に枠部材を設け、吹出部材の枠部材を鍔状部材に着脱自在に固定する固定手段により、吹出部材を鍔状部材に固定したから、請求項１に係る本発明と同様に、吹出部材の取付け及び取外しを簡単に行うことができ、吹出部材の清掃や交換を容易に行うことができる。
また、吹出部材を通気性を有する繊維素材で形成しているので、空気を吹出部材全体から均一に吹出すことができ、吹出風速が小さくなってドラフトを弱くできるとともに、鍔状部材や吹出部材に結露するおそれもない。
【００１６】
請求項５に係る本発明は、請求項１〜請求項４のいずれかに係る本発明の効果に加え、  鍔状部材を、壁面又は天井面に設けた開口部の形状と異なる形状に形成するとともに、吹出部材を鍔状部材の形状に合わせた形状に形成したから、室内に膨出している吹出部材の形状を開口部の形状に拘束されずに好みの形状とすることができる。
【００１７】
請求項６に係る本発明は、請求項１〜請求項５のいずれかに係る本発明の効果に加え、取付枠に照明器具を設けるとともに、吹出部材を半透明な素材で形成して照明器具を覆ったから、吹出部材を間接照明器具と同視することができ、デザイン的にも好ましいものとなる。
【発明を実施するための最良の形態】
【００１８】
以下、本発明の実施の形態を添付した図面により詳細に説明する。
図１〜図３は、本発明の第一の実施の形態に係る図面であり、図１は空気吹出装置の設置状態を示す説明図、図２は空気吹出装置の断面図、図３は吹出部材の斜視図である。
図４及び図５は本発明の第二の実施の形態に係る図面であり、図４は空気吹出装置の断面図、図５は空気吹出装置の部分斜視図である。
【００１９】
図６及び図７は本発明の第三の実施の形態に係る図面であり、図６は空気吹出装置の一部を断面とした正面図、図７は図６の底面図である。
図８は本発明の第四の実施の形態に係る説明図である。
図９及び図１０は本発明の第五の実施の形態に係る図面であり、図９は空気吹出装置の断面図、図１０は図９の底面図である。
図１１及び図１２は本発明の第六の実施の形態に係る図面であり、図１１は空気吹出装置の断面図、図１２は図１１の底面図である。
【００２０】
本発明の第一の実施の形態に係る空気吹出装置を図１〜図３に基いて説明する。
１は、取付枠２と吹出部材３とを備えた空気吹出装置であり、厨房となる室内４の天井面５に設けている。
なお、図１において、４１は壁面、４２は床面、４３は加熱調理器を内蔵した調理台、４４は排気ファン４５を内蔵したレンジフード、４６は室外に開口したレンジフード４４の排気口、４７は室外に開口した給気取入れ口、４８は給気ダクト、４９は給気チャンバーである。
【００２１】
室内４の天井面５には、正方形の開口部５１を設けており、開口部５１に取付枠２を取付けるのである。
取付枠２は開口部５１に取付けた筒状部材２１と、天井面５から下方の室内４側に突出する鍔状部材２２とから形成している。
【００２２】
鍔状部材２２は、筒状部材２１の下端から外方に一体に設けた第一鍔状部材２２ａと第一鍔状部材２２ａに固定した第二鍔状部材２２ｂとから形成している。
第一鍔状部材２２ａと第二鍔状部材２２ｂとは、第一鍔状部材２２ａの外周の筒状立上り部２２ｃと第二鍔状部材２２ｂの内周の筒状立上り部２２ｄとをスポット溶接で固定している。
これら筒状立上り部２２ｃ，２２ｄの上端が天井面５に接するようにしている。
【００２３】
第二鍔状部材２２ｂには、それぞれの辺の中央部に引掛け部２３を設けている。
この引掛け部２３は第二鍔状部材２２ｂの下方からビスをビスの軸部が第二鍔状部材２２ｂの上方に突き出るようにして形成している。
【００２４】
吹出部材３は、通気性を有する伸縮自在なポリプロピレン繊維素材で、開き目が５０μｍの織編物から形成するとともに、筒状部３１と蓋部３２とから構成している。
筒状部３１と蓋部３２とは縫製により一体化している。
【００２５】
筒状部３１における取付枠２の鍔状部材２２への取付位置となる周辺部３３を中空状とした中空部３３ａに形成し、周辺部３３の各辺の中央部及び角部に切欠部３３ｂ，３３ｃを有している。
吹出部材３の周辺部３３に配設した繊維製の紐状部材３４は、周辺部３３の中空部３３ａに挿通したのち、両端部を合わせて抜け止め部３４ａを形成し、中間に抜け止め部３４ｂを形成して、無端状としている。
【００２６】
また、紐状部材３４には、抜け止め部３４ａ，３４ｂの近くに、紐状部材３４の絞り状態を保持するコードストッパー３４ｃ，３４ｃを取付けている。
そして、このように構成した吹出部材３を取付枠２の第二鍔状部材２２ｂに取付けて紐状部材３４を絞り、中央部の切欠部３３ｂに位置する紐状部材３４を引掛け部２３に引掛けてコードストッパー３４ｃ，３４ｃでその絞り状態を保持することにより、吹出部材３を第二鍔状部材２２ｂに固定するのである。
【００２７】
本発明の第一の実施の形態に係る空気吹出装置は、以上のように構成しており、以下に、本発明の第一の実施の形態に係る空気吹出装置の作用について説明する。
厨房である室内４において、調理台４３の加熱調理器を使用して調理するときには、レンジフード４４の排気ファン４５を駆動して調理中に発生する油煙、臭気、汚染空気などを排気口４６から室外に強制排気するようにしている。
【００２８】
強制排気をすることにより、室内４は負圧となり、室外空気が給気取入口４７、給気ダクト４８、給気チャンバー４９を介して空気吹出装置１から室内４に給気される。
空気吹出装置１の吹出部材３は、通気性を有する伸縮自在なポリプロピレン繊維素材で、開き目が５０μｍの織編物により形成しているから、室外空気を吹出部材３の全体から均一に吹出すことができ、吹出風速が小さくなってドラフトを弱くできる。
【００２９】
しかも、この実施の形態では、天井面５の開口部５１の大きさは、横幅及び奥行が３５０ｍｍの正方形であるのに対し、吹出部材３は蓋部３２の横幅及び奥行が略５５０ｍｍの正方形で、かつ、吹出部材３における周辺部３３を除いた筒状部３１の吹出部分の高さが１００ｍｍで周囲が２２００ｍｍであるから、吹出部材３の吹出面積は開口部５１の開口面積の略４．２倍の大きさとなっているから、開口部５１に直接吹出グリルを設けた場合と比較し、吹出風速は２４％となる。
したがって、この実施の形態では、空気吹出装置１を厨房となる室内４における室外空気の給気用として用いているので、室外空気の吹出風速が小さいことにより、調理済みの温料理が室外空気により冷まされ難いことや、吹出部材３により室外空気の塵埃が濾過されて室内４が室外空気中の塵埃で汚されないことから、この実施の形態に係る空気吹出装置１は、厨房用の室外空気の給気用として好適である。
【００３０】
また、冬季に室内４が暖房され、調理による水蒸気が発生しているような結露し易い条件において、低温の室外空気が吹出部材３から吹出されが、低温の室外空気は吹出部材３の全体から均一に低風速で吹出されるから、室内４の空気を吹出部材３の近傍に誘引するようなことがなく、取付枠２の鍔状部材２２や吹出部材３に結露するようなことが生じない。
さらに、室外空気中の塵埃などは、吹出部材３で濾過され、吹出部材３の定期的な洗浄や交換が必要となるが、紐状部材３４のコードストッパー３４ｃを緩めて引掛け部２３から紐状部材３４の係止を外すことにより、簡単に取外すことができる。
【００３１】
また、洗浄や交換の際に、吹出部材３を取付枠２の鍔状部材２２に取付けるには、紐状部材３４を緩め、吹出部材３の伸縮性を利用して周辺部３３を広げて取付枠２の第二鍔状部材２２ｂに被せた後、紐状部材３４を絞り、中央部の切欠部３３ｂに位置する紐状部材３４を引掛け部２３に引掛けてコードストッパー３４ｃ，３４ｃでその絞り状態を保持することにより、吹出部材３を取付枠２の第二鍔状部材２２ｂに固定するのである。
このように、取付枠２の第二鍔状部材２２ｂへの吹出部材３の取付け及び取外しを簡単に行うことができるのである。
【００３２】
以上の第一の実施の形態では、紐状部材３４を繊維製として紐状部材３４を絞ったり、緩めたりして取付枠２の第二鍔状部材２２ｂへの吹出部材３の取付け及び取外しをしたが、紐状部材を合成ゴム紐製としてその弾性力により取付枠２の第二鍔状部材２２ｂへ吹出部材３の取付け及び取外しをするようにしてもよい。この場合、コードストッパー３４ｃは不要である。
また、以上の第一の実施の形態では、紐状部材３４にコードストッパー３４ｃを用いたが、取付枠２の第二鍔状部材２２ｂの大きさから予め紐状部材に、引掛け具と係止具とを設けて紐状部材を絞って引掛け具を係止具に引掛けるようにしてもよく、紐状部材の両端部を結ぶようにしてもよい。
【００３３】
以上の第一の実施の形態では、吹出部材３の周辺部３３を、複数の切欠部３３ｂを有し紐状部材３４が挿通可能な中空部３３ａを設け、取付枠２の第二鍔状部材２２ｂに複数の引掛け部２３を設けているが、切欠部３３ｂ及び引掛け部２３は無くてもよく、中空部３３ａに替えて帯状の紐通し部を吹出部材３の周辺部３３に複数個所形成してもよい。
【００３４】
また、以上の第一の実施の形態では、天井面５の開口部５１を正方形としたが、円形、長方形、六角形、八角形などのいずれでもよく、取付枠２の筒状部材２１の形状も開口部５１に合うような形状にするのである。
以上の第一の実施の形態では、空気吹出装置１を厨房となる室内４の天井面５に設けて、室外空気の自然給気口として使用する例を示したが、給気ファンを備えて強制給気口として使用してもよく、天井面ではなく壁面に設けてもよく、空調用の吹出開口に設けてもよく、室内も厨房ではなく、居室、工場内、食品加工室、事務室、クリーンルームでもよい。
【００３５】
また、以上の第一の実施の形態では、吹出部材３は、通気性を有する伸縮自在なポリプロピレン繊維素材で、開き目が５０μｍの織編物を使用したが、繊維素材として、ポリプロピレンに替えてポリアミド、ポリエステル、アクリルなどの合成繊維や、綿、麻などの天然繊維でもよく、難燃加工を施したものでもよい。
さらに、繊維素材としては、織編物に替えて合成繊維製の不織布としてもよく、この場合、吹出部材３の筒状部３１と蓋部３２との縫製による一体化に替えて、縫製せずに型押加工により成形してもよい。
また、開き目は１μｍ〜１００μｍ程度が好ましく、室内の使用目的、吹出風速（風量）、塵埃の捕捉効率などから適宜決定するのである。
【００３６】
以上の第一の実施の形態では、吹出部材３を、蓋部３２の横幅及び奥行が５５０ｍｍの正方形で、かつ、吹出部材３における周辺部３３を除いた筒状部３１の吹出部分の高さを１００ｍｍとしたが、蓋部３２の横幅及び奥行は、必要な吹出風量、室内の状況などに応じて決めるのであるが、吹出部材３の天井面又は壁面から室内側への膨出は、室内の圧迫感を少なく、かつ人に対するドラフトを弱くするには、鍔状部材２２を含めて１００ｍｍ〜２００ｍｍが望ましい。
【００３７】
次に、本発明の第二の実施の形態に係る空気吹出装置を図４及び図５に基づき説明する。
第二の実施の形態は、第一の実施の形態における取付枠２の第二鍔状部材２２ｂへの吹出部材３の取付け及び取外し構成の変形例を示している。
【００３８】
以下、第一の実施の形態と同様な構成については、説明を省略ないし簡略にし、第一の実施の形態と異なる構成について説明する。
天井面５の正方形の開口部５１及び吹出部材１の取付枠２の筒状部材２１は第一の実施の形態と同一であり、鍔状部材２２のうち、第一鍔状部材２２ａも第一の実施の形態と同一であり、第二鍔状部材２２ｅの構成が第一の実施の形態と異なるとともに、吹出部材３の構成もその周辺部３３ｅの構成が異なり、取付枠２の第二鍔状部材２２ｅへの吹出部材３の取付け及び取外し構成が第一の実施の形態と異なっている。
【００３９】
すなわち、第二鍔状部材２２ｅは、取付枠２の筒状部材２１の下端から外方に第一鍔状部材２２ａの底面に接して伸びる水平鍔部２２ｆと水平鍔部２２ｆの外周から下方に立ち下がる筒状立下り部２２ｇを形成し、筒状立下り部２２ｇの下端からさらに外方に水平部２２ｈを形成している。
第一鍔状部材２２ａと第二鍔状部材２２ｅとは、第一鍔状部材２２ａと第二鍔状部材２２ｅの水平鍔部２２ｆとをスポット溶接することにより一体化している。
そして、第二鍔状部材２２ｅの水平部２２ｈの各角部に、第二鍔状部材２２ｅと間隙をもって軸部材３５を固定する支持脚を設けて、４本の軸部材３５を水平部２２ｈに支持している。
【００４０】
また、吹出部材３の周辺部３３ｅは、各角部に切込みを形成するとともに、周辺部３３ｅを図５に示すように、軸部材３５と第二鍔状部材２２ｅとの間隙を通って軸部材３５に巻きつけて軸部材３５を包んだ状態で２つの面ファスナー３６，３６が対向して位置するように構成している。
この第二の実施の形態では、吹出部材３の洗浄や交換の際に、吹出部材３を取付枠２の第二鍔状部材２２ｅに取付けるには、吹出部材３の伸縮性を利用して周辺部３３ｅを広げて取付枠２の第二鍔状部材２２ｅに被せるとともに、周辺部３３ｅを４本の軸部材３５を包んだ状態でそれぞれ２つの面ファスナー３６，３６で固定するのであり、取外すときは４箇所でそれぞれ面ファスナー３６，３６の係合を手で解除することにより、簡単に取付け及び取外しが行える。
【００４１】
第二の実施の形態では、面ファスナー３６．３６を用いたが、面ファスナーに替えて複数個所にボタンを固定し、ボタンに引掛ける引掛け具を形成して、吹出部材３を軸部材３５を利用して取付枠２の第二鍔状部材２２ｅに取付け及び取外しを行うようにしてもよい。
第二の実施の形態に係る空気吹出装置の作用、その他の構成、変形例については、第一の実施の形態で説明したとおりであるから、説明を省略する。
【００４２】
次に、本発明の第三の実施の形態に係る空気吹出装置について、図６及び図７に基づき説明する。
第三の実施の形態は、第二の実施の形態における取付枠２の第二鍔状部材２２ｅへの吹出部材３の取付け及び取外し構成の変形例を示している。
【００４３】
以下、第二の実施の形態と同様な構成については、説明を省略ないし簡略にし、第二の実施の形態と異なる構成について説明する。
吹出部材３の周辺部３３ｆに８つのビス挿通孔を設け、ビス挿通孔に対応する箇所にビス挿通孔を有する枠部材３７を設け、さらに、第二鍔状部材２２ｉの対応する箇所にネジ孔を形成して、吹出部材３の周辺部３３ｆを枠部材３７と第二鍔状部材２２ｉとの間に挟み込んだ状態で、割りいれローレットビス３７ａで取付けている。
【００４４】
枠部材３７は水平部３７ｂと水平部３７ｂの外周から立ち上がる筒状立上り部３７ｃとから形成している。
なお、第二の実施の形態では、第二鍔状部材２２ｅにおける水平部２２ｈを筒状立下り部２２ｇの外方に形成したが、第三の実施の形態では、水平部２２ｊを筒状立下り部２２ｇの内方に形成して、吹出部材３の周辺部３３ｆを枠部材３７と第二鍔状部材２２ｉとの間に挟み込み易く構成している。
【００４５】
以上の第三の実施の形態では、枠部材３７を取付枠２の第二鍔状部材２２ｉに着脱自在に固定する手段として、割りいれローレットビス３７ａを設けたが、割りいれローレットビス３７ａに替えて各種のビスを用いることができ、ビスに替えて適宜の固定手段を用いることができる。
第三の実施の形態に係る空気吹出装置の作用、その他の構成、変形例については、第一の実施の形態又は第二の実施の形態で説明したとおりであるから、説明を省略する。
【００４６】
次に、本発明の第四の実施の形態に係る空気吹出装置について、図８に基づき説明する。
図８は、底面から見た状態における取付枠２の筒状部材２１及び鍔状部材２２の形状を種々変形させたものを示すことにより、天井面５の開口部５１の形状にかかわらず、吹出部材３の形状を好みの形状にすることができることを示す説明図である。
【００４７】
図８において、点線は取付枠２の筒状部材２１を表わしており、筒状部材２１は開口部５１に取付けるから、筒状部材２１の形状と開口部５１の形状とは底面視において略同じであり、開口部５１を表わしているともいえる。
また、実線は取付枠２の鍔状部材２２を表わしており、吹出部材３は鍔状部材２２に取付けるから、吹出部材３の形状と鍔状部材２２の形状とは底面視において略同じであり、吹出部材３を表わしているともいえる。
【００４８】
図８（ａ）は、筒状部材２１及び開口部５１を点線Ｍ１で表わす正方形又は点線Ｍ２で表わす円形とし、鍔状部材２２及び吹出部材３を実線Ｎ１で表わす円形とすることを示したものである。
同図（ｂ）は、筒状部材２１及び開口部５１を点線Ｍ３で表わす円形又は点線Ｍ４で表わす長方形とし、鍔状部材２２及び吹出部材３を実線Ｎ２で表わす長方形とすることを示したものである。
【００４９】
同図（ｃ）は、筒状部材２１及び開口部５１を点線Ｍ５で表わす円形又は点線Ｍ６で表わす正方形とし、鍔状部材２２及び吹出部材３を実線Ｎ３で表わす正六角形とすることを示したものである。
同図（ｄ）は、筒状部材２１及び開口部５１を点線Ｍ７で表わす円形又は点線Ｍ８で表わす正方形とし、鍔状部材２２及び吹出部材３を実線Ｎ４で表わす正八角形とすることを示したものである。
【００５０】
図８（ａ）〜（ｄ）に示したように、取付枠２の鍔状部材２２を、開口部５１の形状と異なる形状に形成するとともに、吹出部材３を鍔状部材２２の形状に合わせた形状に形成することにより、室内に膨出している吹出部材３の形状を開口部５１の形状に拘束されずに好みの形状とすることができる。
このように、開口部５１の形状は、円形又は正方形が一般的であるが、好みの吹出部材３の形状に合わせて鍔状部材２２の形状を形成することにより、吹出部材３を好みの形状にすることができるのである。
【００５１】
また、この実施の形態では、天井面５の開口部５１の開口面積が小さい場合でも、鍔状部材２２を大きくすることにより、吹出部材３の吹出面積を大きくすることができ、吹出風速を均一にできることともに、吹出風速を小さくできドラフトを弱くすることができるのである。
【００５２】
次に、本発明の第五の実施の形態に係る空気吹出装置について、図９及び図１０に基づき説明する。
第五の実施の形態は、第一の実施の形態における空気吹出装置１に照明器具としての電球を設けた構成を示している。
【００５３】
以下、第一の実施の形態と同様な構成については、説明を省略し、第一の実施の形態と異なる構成について説明する。
取付枠２の筒状部材２１には、有底の四角筒２４をアーム（図示せず）によって取付けている。
四角筒２４の底部に照明器具としての電球３８を固定している。
【００５４】
また、吹出部材３を半透明な繊維素材で形成して電球３８を覆っている。
このように、第五の実施の形態では、吹出部材３を間接照明器具と同視することができるので、デザイン的にも好ましいものとなる。
【００５５】
次に、本発明の第六の実施の形態に係る空気吹出装置について、図１１及び図１２に基づき説明する。
第六の実施の形態は、第五の実施の形態における取付枠２の筒状部材２１、鍔状部材２２、吹出部材３、開口部５１及び四角筒２４の形状を底面視において正方形に替えて長方形とし、電球３８に替えて蛍光灯３９とした構成であり、他の構成は、第五の実施の形態と同様な構成であるので、説明を省略する。
【００５６】
以上の第五の実施の形態及び第六の実施の形態では、第一の実施の形態における構成からの変更について説明したが、これら第五の実施の形態及び第六の実施の形態は、第二の実施の形態〜第四の実施の形態にも同様に適用できるものである。
【図面の簡単な説明】
【００５７】
【図１】本発明の第一の実施の形態に係る空気吹出装置の設置状態を示す説明図。
【図２】本発明の第一の実施の形態に係る空気吹出装置の断面図。
【図３】本発明の第一の実施の形態に係る吹出部材の斜視図。
【図４】本発明の第二の実施の形態に係る空気吹出装置の断面図。
【図５】本発明の第二の実施の形態に係る空気吹出装置の部分斜視図。
【図６】本発明の第三の実施の形態に係る空気吹出装置の一部を断面とした正面図。
【図７】図６の底面図。
【図８】本発明の第四の実施の形態に係る説明図。
【図９】本発明の第五の実施の形態に係る空気吹出装置の断面図。
【図１０】図９の底面図。
【図１１】本発明の第六の実施の形態に係る空気吹出装置の断面図。
【図１２】図１１の底面図。
【符号の説明】
【００５８】
１  空気吹出装置
２  取付枠
２１  筒状部材
２２  鍔状部材
２３  引掛け部
３  吹出部材
３３  周辺部
３３ａ  中空部
３３ｂ  切欠部
３３ｅ  周辺部
３３ｆ  周辺部
３４  紐状部材
３５  軸部材
３６  面ファスナー
３７  枠部材
３７ａ  割りいれローレットビス（固定手段）
３８  電球（照明器具）
３９  蛍光灯（照明器具）
４  室内
４１  壁面
５  天井面
５１  開口部
【図１】
2009275922.tif 000003
【図２】
2009275922.tif 000004
【図３】
2009275922.tif 000005
【図４】
2009275922.tif 000006
【図５】
2009275922.tif 000007
【図６】
2009275922.tif 000008
【図７】
2009275922.tif 000009
【図８】
2009275922.tif 000010
【図９】
2009275922.tif 000011
【図１０】
2009275922.tif 000012
【図１１】
2009275922.tif 000013
【図１２】
2009275922.tif 000014